(57)【要約】【課題】故人や亡きペットを偲び供養する際の、仏壇祭壇や位牌や過去帖や遺影写真等の集約化ならびに小型化が求められ、そして費用の削減が求められてきた。さらに、誰でも、何時でも、何処でも、故人や亡きペットを偲び供養できる物が必要とされていた。【解決手段】そこで、彫刻できるあらゆる素材を利用して、板状もしくは角柱もしくは円柱等のそれぞれの面に、宗教的内容である本尊、院号並びに法名戒名、そして教えや詩や言葉、遺影、生前名、死亡年月日、享年または行年、家紋、続柄、人柄、図柄や模様等の中から必要な内容を選択し組み合わせ、彫刻されたことを特徴とする礼賛用具である。また、携帯ができるように穴をあけたり、携帯するための用具を装着した礼賛用具である。【選択図】図２
2017124134.tif 000002
【特許請求の範囲】
【請求項１】
あらゆる面に、それぞれ宗教的内容である本尊、院号並びに法名戒名、そして教えや詩や言葉、遺影、生前名、死亡年月日、享年または行年、家紋、続柄、人柄、図柄や模様等の中から必要な内容を選択し組み合わせ、彫刻されたことを特徴とする礼賛用具である。
【請求項２】
前記の礼賛用具に、穴をあけて携帯し易くした礼賛用具。
【請求項３】
前記の礼賛用具に、携帯するための用具を装着した礼賛用具。
【発明の詳細な説明】
【技術分野】
【０００１】  この発明は、故人や亡きペットの情報内容である院号並びに法名戒名、生前名、死亡年月日、享年または行年、遺影、家紋、続柄、本尊、教えや詩や言葉、図柄や模様等の中から必要な物を選択し、彫刻されたことを特徴とする礼賛用具である。
【背景技術】
【０００２】  従来、死別した際、仏壇祭壇を求め、本尊を安置し、位牌や過去帖を具え、壁に写真を飾り故人供養を行ってきた。しかし、現代の生活環境の中で、仏壇祭壇を求め、本尊を安置し、位牌や過去帖を具え、壁に遺影写真を飾り故人や亡きペット供養を行う際、住居内で場所を大きくとり空間的に生活に支障をきたすことがある。そして、仏壇祭壇、本尊、位牌や過去帖、遺影写真等の費用も大きなものになり、金額においても生活に負担になるものである。さらに、死別から悲しみや苦しみが深まり、仏壇祭壇を守るために外出もできなくなり、心を癒せることができず、精神的な病を発症する人もいる。
【発明の概要】
【発明が解決しようとする課題】  そこで、故人や亡きペットを偲ぶ際の、仏壇祭壇や位牌や過去帖や遺影写真等の集約化ならびに小型化が求められ、そして費用の削減が求められている。また、誰でも、何時でも、何処でも、故人や亡きペットを偲び供養できる物が必要とされている。【０００３】  本発明者は、このような故人や亡きペットを偲び供養するために、仏壇祭壇や位牌や過去帖や遺影の宗教的教えや意味ならびに遺族の思いに着目したものである。さらに、小型で、安価で、誰でも何時でも何処でも、故人や亡きペットを偲び供養できるようにする礼賛用具ならびに偲び供養する方法を提供することを目的とするものである。
【課題を解決するための手段】
【０００４】  このような目的を達成するための礼賛用具は、板状の札ならびに角柱ならびに円柱等の彫刻可能な面に、彫刻されたことを特徴とするものである。【０００５】  板状の場合は、一面には宗教的内容である本尊、院号並びに法名戒名、図柄や模様、もしくは教えや詩や言葉、図柄や模様を彫刻されたことを特徴とするものである。さらにもう一面には遺影、生前名、死亡年月日、享年または行年、家紋、続柄、人柄、図柄や模様等の中から必要な内容を選択し、彫刻されたことを特徴とする礼賛用具である。そして礼賛用具に穴をあけて携帯し易くするものである。【０００６】  角柱の場合は、一面には宗教的内容である本尊もしくは教えや詩や言葉、図柄や模様を記すものである。他の面は、それぞれに院号並びに法名戒名、遺影、生前名、死亡年月日、享年または行年、家紋、続柄、人柄、図柄や模様等の中から必要な内容を選択し彫刻されたことを特徴とするものである。そして角柱にリングを付けて携帯し易くするものである。【０００７】  円柱の場合は、曲面に本尊や院号並びに法名戒名もしくは教えや詩や言葉を中心にし、その周りに遺影、生前名、死亡年月日、享年または行年、家紋、続柄、人柄、図柄や模様等の中から必要な内容を選択し、彫刻されたことを特徴とするものである。そして円柱にリングを付けて携帯し易くするものである。
【発明の効果】
【０００８】  これまで、故人や亡きペットを供養する際、仏壇祭壇を設け、本尊を安置し、位牌や過去帖を具え、壁に遺影写真を飾るようにして、個別に安置して場所を取っていたものが、このように故人や亡きペットを偲び供養する小型の礼賛用具があることによって、一つに集約され、空間的に場所を取ることがなくなる。【０００９】  また、それぞれ高額だった費用も、一つに集約されるため安価に抑えることができる。【００１０】  さらに、小型で安価になったため、礼賛用具を携帯することができるため、お守りのように身近に感じられるようになる。【００１１】  以上のことから、誰でも何時でも何処でも、故人や亡きペットを偲び供養できるようになり、心が癒されるようになる。
【発明を実施するための形態】
【００１２】  以下、本発明の故人や亡きペット情報ならびに宗教の情報を彫刻されたことを特徴とした礼賛用具の一形態について、図面を参照をして説明する。
【００１３】  本発明の、故人や亡きペット情報ならびに宗教的内容を彫刻されたことを特徴とした礼賛用具は、木材やプラスチックや金属など、彫刻可能な素材を利用したものである。
【００１４】  図１は、板状の物に彫刻したものである。
【００１５】  図２は、角柱の物に彫刻したものである。
【００１６】  図３は、円柱の物に彫刻したものである。
【００１７】  図４と図５と図６は、板状もしくは角柱もしくは円柱の彫刻する面を提示したものである。その中で、図４は、宗教的内容である本尊、院号並びに法名戒名、図柄や模様を彫刻されたことを特徴とした面である。
【００１８】  図５は、故人や亡きペットに遺影、故人名、死亡年月日、続柄、死亡年齢、人柄、家紋や図柄や模様等に関する内容を彫刻した面である。
【００１９】  図６は、教えや詩や言葉や図柄などの模様を彫刻した面である。
【００２０】  なお、図４のように宗教的内容や、図６のように教えや詩や言葉の選択は、宗教宗派によって本尊や教えが異なり、宗教宗派によって変更される。また、図５のように、故人や亡きペットに関する内容の選択は、故人が生前に決定したり、遺族によって変更されることがある。
【００２１】  また、図１の▲１▼、図４の▲７▼、図５の▲１１▼、図６の▲１５▼の穴は、であり、形状ならびに大きさならびに位置は、状況に応じて変更される。
【図面の簡単な説明】
【００２２】
【図１】本尊や院号並びに法名戒名と模様などの宗教的内容を、板状の物に彫刻されたことを特徴とした礼賛用具。
【符号の説明】  ▲１▼・・・・・・・携帯するための紐等を通すための穴
【図２】
本尊や院号並びに法名戒名と模様などの宗教的内容の一面と、故人や亡きペットの遺影、故人名、死亡年月日、続柄、死亡年齢、人柄、家紋や図柄や模様等に関する内容の一面を、角柱の物に彫刻されたことを特徴とした礼賛用具。
【符号の説明】  ▲２▼・・・・・・・携帯するための紐等を通すための用具
【図３】
本尊や院号並びに法名戒名と模様などの宗教的内容と、故人や亡きペットの遺影、故人名、死亡年月日、続柄、死亡年齢、人柄、家紋や図柄や模様等に関する内容を、円柱の物に彫刻されたことを特徴とした礼賛用具。
【符号の説明】  ▲３▼・・・・・・・携帯するための紐等を通すための用具
【図４】
礼賛用具に本尊や院号並びに法名戒名、模様を記した宗教的内容を記した面
【符号の説明】  ▲４▼・・・・・・・本尊  ▲５▼・・・・・・・院号並びに法名戒名  ▲６▼・・・・・・・図柄  ▲７▼・・・・・・・紐等を通す穴  ▲８▼・・・・・・・図柄
【図５】
故人や亡きペットに関する内容を記した面
【符号の説明】  ▲９▼・・・・・・・遺影  ▲１０▼・・・・・・個人の情報内容である死亡年月日と家紋と故人名と続柄と死亡年齢と業績  ▲１１▼・・・・・・紐等を通す穴
【図６】
教えや詩や言葉や図柄などの模様を彫刻した面
【符号の説明】  ▲１２▼・・・・・・家紋もしくは図柄  ▲１３▼・・・・・・教えの詩  ▲１４▼・・・・・・図柄  ▲１５▼・・・・・・紐等を通す穴
【図１】
2017124134.tif 000003
【図２】
2017124134.tif 000004
【図３】
2017124134.tif 000005
【図４】
2017124134.tif 000006
【図５】
2017124134.tif 000007
【図６】
2017124134.tif 000008